(57)【特許請求の範囲】
【請求項１】
端子金具を収容するコネクタハウジングと、弾性変形可能なロック片を有して、前記コネクタハウジングのリテーナ装着孔に挿入されるリテーナとを備え、
前記端子金具の進入経路から退避して前記端子金具が挿抜可能となる仮係止位置と、前記端子金具の進入経路に進入して前記端子金具を抜け止めする本係止位置との間を前記リテーナが移動可能なコネクタであって、
前記ロック片は、前記リテーナ装着孔の内面に形成された本係止突起によって前記リテーナ装着孔の開口側から前記リテーナ装着孔の奥側に向かって係止されることで前記リテーナを前記本係止位置に保持する本係止爪と、
前記本係止爪に対して前記リテーナの挿入方向と交差する方向にずれて形成され、前記リテーナ装着孔の内面に形成された仮係止突起によって前記リテーナ装着孔の開口側から前記リテーナ装着孔の奥側に向かって係止されることで、前記リテーナを前記仮係止位置に保持する仮係止爪とを備えており、
前記本係止爪が前記本係止突起に乗り上げて前記ロック片が弾性変形することで、前記リテーナが前記本係止位置から前記仮係止位置に移動する際に、前記ロック片が弾性変形して前記仮係止爪が変位する量は、前記本係止爪が変位する量よりも小さいことを特徴とするコネクタ。
【請求項２】
前記仮係止突起および前記本係止突起は、前記コネクタハウジングの幅方向に突出して形成されており、
前記仮係止突起と前記ロック片との係り代は、前記本係止突起と前記ロック片との係り代よりも大きいことを特徴とする請求項１記載のコネクタ。
【請求項３】
前記ロック片は、前記リテーナの底板部から立ち上がる平板状に形成されており、
前記ロック片における前記本係止爪よりも基端部側の部分が、前記仮係止爪よりも基端部側の部分に比べて、肉厚に形成されていることを特徴とする請求項１または請求項２記載のコネクタ。
【請求項４】
前記仮係止爪と前記本係止爪とは、前記リテーナの挿入方向と交差する方向に連続して一体に形成されていることを特徴とする請求項１乃至請求項３の何れか一項に記載のコネクタ。
【請求項５】
前記ロック片は、前記ロック片の挿入方向と交差する方向に分割して形成されており、
前記仮係止爪は、分割された前記ロック片の一方に形成されており、前記本係止爪は、分割された前記ロック片の他方に形成されていることを特徴とする請求項１乃至請求項３の何れか一項に記載のコネクタ。
【発明の詳細な説明】
【技術分野】
【０００１】
本発明は、コネクタに関する。
【背景技術】
【０００２】
従来、コネクタハウジングに収容された端子金具を抜け止めするリテーナを備えたコネクタとして、下記特許文献１に記載のものが知られている。
このリテーナは、コネクタハウジングの底部に設けられたリテーナ挿入孔に挿入されるようになっており、端子金具を抜け止めする抜け止め部と、この抜け止め部の幅方向両側において幅方向外側に弾性変形可能な一対のロック片とを備えて構成されている。
一対のロック片は、コネクタハウジングの幅方向両側に形成された仮係止突起と、仮係止突起よりもロック片の挿入方向奥側に形成された本係止突起との何れかに選択的に係止可能に形成されている。そして、ロック片と仮係止突起とが弾性的に係止することで、抜け止め部が端子金具の進入経路から退避して端子金具が挿抜可能な仮係止位置に抜け止め部が保持される。また、ロック片と本係止突起とが弾性的に係止することで、コネクタハウジングに収容された端子金具を抜け止め部が後方から係止して端子金具を抜け止めする本係止位置に抜け止め部が保持されるようになっている。
【先行技術文献】
【特許文献】
【０００３】
【特許文献１】特開２００３−２２９１９７号公報
【発明の概要】
【発明が解決しようとする課題】
【０００４】
ところで、メンテナンスのためにリテーナを本係止位置から仮係止位置に移動させる際には、ロック片を弾性変形させて本係止突起との係止状態を解除し、ロック片と仮係止突起とを係止させる。
ところが、リテーナに対して本係止位置から仮係止位置へ移動する際に、大きな力が加えられると、弾性変形して本係止突起を乗り越えたロック片が、弾性復帰する前に、仮係止突起も乗り越えてしまい、リテーナが勢い余ってコネクタハウジングから外れてしまう虞がある。
【０００５】
本発明は上記のような事情に基づいて完成されたものであって、リテーナを本係止位置から仮係止位置へ移動させる際に、リテーナがコネクタハウジングから外れてしまうことを抑制することを目的とする。
【課題を解決するための手段】
【０００６】
上記の目的を達成するための手段として本発明は、端子金具を収容するコネクタハウジングと、弾性変形可能なロック片を有して、前記コネクタハウジングのリテーナ装着孔に挿入されるリテーナとを備え、前記端子金具の進入経路から退避して前記端子金具が挿抜可能となる仮係止位置と、前記端子金具の進入経路に進入して前記端子金具を抜け止めする本係止位置との間を前記リテーナが移動可能なコネクタであって、前記ロック片は、前記リテーナ装着孔の内面に形成された本係止突起によって前記リテーナ装着孔の開口側から前記リテーナ装着孔の奥側に向かって係止されることで前記リテーナを前記本係止位置に保持する本係止爪と、前記本係止爪に対して前記リテーナの挿入方向と交差する方向にずれて形成され、前記リテーナ装着孔の内面に形成された仮係止突起によって前記リテーナ装着孔の開口側から前記リテーナ装着孔の奥側に向かって係止されることで、前記リテーナを前記仮係止位置に保持する仮係止爪とを備えており、前記本係止爪が前記本係止突起に乗り上げて前記ロック片が弾性変形することで、前記リテーナが前記本係止位置から前記仮係止位置に移動する際に、前記ロック片が弾性変形して前記仮係止爪が変位する量は、前記本係止爪が変位する量よりも小さいところに特徴を有する。
【０００７】
このような構成のコネクタによると、本係止爪と仮係止爪とがずれて形成されているので、リテーナを本係止位置から仮係止位置へ移動させる際に、ロック片が弾性変形する位置は、本係止爪が形成された側となり、本係止爪が本係止突起に乗り上げてロック片が弾性変形した状態における仮係止爪の変位量は、本係止爪の変位量よりも小さくなる。これにより、仮係止爪が形成された側のロック片は、仮係止爪と仮係止突起とが解除されるほど弾性変形した状態にならず、ロック片が本係止突起から解除された勢いで仮係止突起からも解除されることを抑制することができる。ひいては、リテーナを本係止位置から仮係止位置へ移動させる際に、リテーナがコネクタハウジングから外れてしまうことを抑制することができる。
【０００８】
本発明の実施の態様として、以下の構成が好ましい。
前記仮係止突起および前記本係止突起は、前記コネクタハウジングの幅方向に突出して形成されており、前記仮係止突起と前記ロック片との係り代は、前記本係止突起と前記ロック片との係り代よりも大きい構成としてもよい。
このような構成によると、仮係止突起とロック片との係止を解除するためには、本係止突起とロック片との係止を解除するときよりもロック片を更に弾性変形させる必要があるため、本係止突起から解除されたロック片が勢い余って仮係止突起からも解除されることをさらに抑制することができる。
【０００９】
前記ロック片は、前記リテーナの底板部から立ち上がる平板状に形成されており、前記ロック片における前記本係止爪よりも基端部側の部分が、前記仮係止爪よりも基端部側の部分に比べて、肉厚に形成されている構成としてもよい。
このような構成によると、ロック片における本係止爪よりも基端部側の部分を、ロック片における仮係止爪よりも基端部側の部分に比べて、剛性を高くすることができるので、本係止爪と本係止突起との係止状態が解除される方向にロック片が弾性変形し難くすることができる。これにより、仮係止位置よりも係り代が浅い本係止位置におけるリテーナの保持力を向上させることができる。
【００１０】
前記仮係止爪と前記本係止爪とは、前記リテーナの挿入方向と交差する方向に連続して一体に形成されている構成としてもよい。
このような構成によると、ロック片の仮係止爪と本係止爪とがリテーナの挿入方向と交差する方向に分かれて形成されている場合に比べて、ロック片全体の強度を高くすることができると共に、リテーナの挿入方向と交差する方向の長さ寸法を小さくすることができる。
【００１１】
前記ロック片は、前記ロック片の挿入方向と交差する方向に分割して形成されており、前記仮係止爪は、分割された前記ロック片の一方に形成されており、前記本係止爪は、分割された前記ロック片の他方に形成されている構成としてもよい。
このような構成によると、仮係止爪が形成されたロック片と、本係止爪が形成されたロック片とを独立して弾性変形させることができるので、本係止爪が形成されたロック片が弾性変形して、本係止爪と本係止突起との係止状態が解除される際に、仮係止爪が形成されたロック片は弾性変形した状態にならず、リテーナを本係止位置から仮係止位置へ移動させる際に、リテーナがコネクタハウジングから外れてしまうことをさらに抑制することができる。
【発明の効果】
【００１２】
本発明によれば、リテーナを本係止位置から仮係止位置へ移動させる際に、リテーナがコネクタハウジングから外れてしまうことを抑制することができる。
【図面の簡単な説明】
【００１３】
【図１】実施形態１にかかるコネクタハウジングにリテーナが組み付けられる前の状態を示す側面図
【図２】実施形態１にかかるコネクタハウジングにリテーナが組み付けられる前の状態を示す背面図
【図３】実施形態１にかかるコネクタハウジングにリテーナが仮係止状態に保持された状態を示す側面図
【図４】図３のＡ−Ａ線断面図
【図５】実施形態１にかかるコネクタハウジングにリテーナが本係止状態に保持された状態を示す側面図
【図６】実施形態１にかかるコネクタハウジングにリテーナが本係止状態に保持された状態を示す背面図
【図７】図５のＢ−Ｂ線断面図
【図８】実施形態１にかかるコネクタハウジングの底面図
【図９】実施形態１にかかるリテーナの斜視図
【図１０】実施形態１にかかるリテーナの平面図
【図１１】実施形態１にかかるリテーナの背面図
【図１２】実施形態２にかかるコネクタハウジングにリテーナが仮係止状態に保持された状態を示す側面図
【図１３】図１２のＣ−Ｃ線断面図
【図１４】図１２のＤ−Ｄ線断面図
【図１５】実施形態２にかかるコネクタハウジングにリテーナが本係止状態に保持された状態を示す側面図
【図１６】図１５のＥ−Ｅ線断面図
【図１７】図１５のＦ−Ｆ線断面図
【図１８】実施形態２にかかるリテーナの斜視図
【図１９】実施形態２にかかるリテーナの平面図
【発明を実施するための形態】
【００１４】
＜実施形態１＞
本発明の実施形態１について図１乃至図１１を参照して説明する。
本実施形態は、合成樹脂製のコネクタハウジング２０と、このコネクタハウジング２０に収容される図示しない雌型端子を抜け止めする合成樹脂製のリテーナ４０とを備えたコネクタ１０を例示している。
【００１５】
コネクタハウジング２０は、図１乃至図４に示すように、大まかには前後方向に縦長なブロック状に形成されている。
コネクタハウジング２０の内部には、前後方向に貫通した形態のキャビティ２１が上下方向および幅方向に複数並んで形成されており、キャビティ２１内には、図示しない雌型端子が後方から収容可能とされている。雌型端子は、キャビティ２１内に収容されると、キャビティ２１の内壁から前方に向かって片持ち状に延びるランス２２によって後方から係止され、キャビティ２１内に抜け止めされるようになっている。
【００１６】
コネクタハウジング２０の底面における前後方向略中央部には、図８に示すように、リテーナ装着孔２３が形成されている。リテーナ装着孔２３の開口部は、略Ｕ字状に形成されており、リテーナ装着孔２３は、幅方向に横長な抜け止め部収容部２４と、抜け止め部収容部２４の両端部から後方に延びる前後方向に縦長な一対のロック部収容部２５とから構成されている。
【００１７】
抜け止め部収容部２４は、コネクタハウジング２０の底面から上方に向かって凹んだ形態をなし、抜け止め部収容部２４の内部空間は、コネクタハウジング２０の各キャビティ２１に連通している。
【００１８】
一対のロック部収容部２５は、コネクタハウジング２０の幅方向両端部に位置する側壁２０Ａの内側に形成されている。詳しくは、ロック部収容部２５は、図４及び図８に示すように、幅方向両端部に位置するキャビティ２１とコネクタハウジング２０の両側壁２０Ａとの間にそれぞれ形成されており、コネクタハウジング２０の側面に沿った形態とされている。また、ロック部収容部２５は、抜け止め部収容部２４と同様に、コネクタハウジング２０の底面から上方に向かって凹んだ形態をなしている。
【００１９】
一方、リテーナ４０は、抜け止め部収容部２４内に嵌合可能な抜け止め部４１と、一対のロック部収容部２５内にそれぞれ嵌合可能な一対のロック部４２とを備えて構成されている。
抜け止め部４１は、図９乃至図１１に示すように、背面視略Ｕ字状をなし、前後方向に貫通する略矩形状の端子挿通孔４３が上下方向及び幅方向に複数形成されることで、幅方向に横長な格子状に形成されている。
【００２０】
端子挿通孔４３には、雌型端子が前後方向に挿通可能とされており、各端子挿通孔４３の底面および抜け止め部４１の上面には、コネクタハウジング２０のキャビティ２１内に挿入された雌型端子を後方から係止する端子係止部４４が各キャビティ２１に対応して複数形成されている。
【００２１】
また、抜け止め部４１は、端子係止部４４がキャビティ２１内に突出することで雌型端子を後方から係止して、雌型端子をキャビティ２１内に抜け止めする本係止位置（図６および図７参照）と、端子係止部４４がキャビティ２１内から退避して、キャビティ２１への雌型端子の挿抜を許容する仮係止位置（図４参照）との間を移動可能とされている。これにより、キャビティ２１内に雌型端子が収容された状態で、抜け止め部４１が本係止位置まで嵌合されると、端子係止部４４によって雌型端子が後方から係止され、雌型端子がランス２２と端子係止部４４とによって二重に係止されるようになっている。
【００２２】
また、リテーナ４０は、仮係止位置では、図３及び図４に示すように、コネクタハウジング２０の底面から抜け止め部４１およびロック部４２の一部を下方に突出させた状態となり、本係止位置では、図６及び図７に示すように、リテーナ装着孔２３に完全に収容された状態で嵌合され、コネクタハウジング２０の底面と抜け止め部４１の底面およびロック部４２の底面とがほぼ面一状態となる。
【００２３】
一対のロック部４２は、図９乃至図１１に示すように、平板状をなし、抜け止め部４１の後方に隣接して形成されている。また、ロック部４２は、抜け止め部４１の幅方向両端部から後方に延びる底板部４５と、底板部４５から上方に立ち上がるロック片４６とを備えて構成されている。なお、図９については、紙面左手前側を後方とし、紙面右奥側を前方としている。
【００２４】
底板部４５は、いずれも矩形平板状をなし、互いに対向した形態で抜け止め部４１の後端部に一体に形成されている。
ロック片４６は、底板部４５よりも板厚が薄い矩形平板状に形成されている。ロック片４６は、底板部４５の上端縁における幅方向外側に一体に形成されており、底板部４５と連結する基端部を支点に幅方向外側に弾性変形可能とされている。
【００２５】
一方、コネクタハウジング２０の両側壁２０Ａには、弾性変形したロック片４６を逃がすための貫通孔２６がそれぞれ形成されている。貫通孔２６は、図１に示すように、前後方向に縦長な略矩形状をなし、側壁２０Ａの上下方向略中央部において、図４および図７に示すように、側壁２０Ａを幅方向に貫通して形成されている。
貫通孔２６の内部空間には、ロック片４６の先端部が進入可能とされており、幅方向外側に弾性変形するロック片４６の先端部が貫通孔２６の内部空間に進入することで、ロック片４６が幅方向外側に弾性変形することが許容されるようになっている。
【００２６】
さて、ロック部収容部２５の幅方向内側であるキャビティ２１側の両内壁には、図１、図４及び図７に示すように、リテーナ４０を本係止位置に保持する本係止突起２７と、リテーナ４０を仮係止位置に保持する仮係止突起２８とがそれぞれ形成されている。
【００２７】
本係止突起２７は、キャビティ２１側の内壁から幅方向外側に向かって突出して形成されており、前後方向に延びた形態をなしている。また、本係止突起２７は、断面略矩形状をなし、本係止突起２７の上面は、突起側本係止面２７Ａとされている。
【００２８】
仮係止突起２８は、本係止突起２７と同様に、キャビティ２１側の内壁から幅方向外側に向かって突出して形成されており、前後方向に延びた形態をなしている。また、仮係止突起２８は、本係止突起２７よりも幅方向外側に突出して形成されており、キャビティ２１側の内壁から幅方向外側に延びる突起側仮係止面２８Ａを上部に有して、突起側仮係止面２８Ａの外側端部から僅かに下方に延びた後、下方に延びるほどキャビティ２１側に近づく形態をなしている。
【００２９】
また、仮係止突起２８は、本係止突起２７よりもロック部収容部２５の開口側である下側に配されており、仮係止突起２８の前後方向の長さ寸法は、本係止突起２７の前後方向の長さ寸法とほぼ同一に設定されている。また、仮係止突起２８は、本係止突起２７の後端位置よりも後側の領域における前端部分に形成されており、仮係止突起２８の前端位置が本係止突起２７の後端位置と上下方向に重なる位置に配されている。すなわち、本係止突起２７と仮係止突起２８とは、前後方向および上下方向にずれて形成されている。
【００３０】
一方、ロック片４６の上端縁には、図９および図１０に示すように、仮係止突起２８と係止可能な仮係止爪４７と、本係止突起２７と係止可能な本係止爪４８とが形成されている。また、仮係止爪４７と本係止爪４８とは、前後方向に連続して一体に形成されている。
仮係止爪４７は、ロック片４６の後端から前方に向かって直線的に延びた形態をなし、ロック片４６の前後方向略中央部よりも後側に配されている。また、仮係止爪４７は、ロック片４６の上端縁から幅方向内側に向かって突出して形成されており、仮係止爪４７における下側の面である仮係止面４７Ａは、仮係止突起２８の突起側仮係止面２８Ａと係止可能とされている。仮係止面４７Ａは、突起側仮係止面２８Ａよりも前後方向に長く形成されており、仮係止面４７Ａと突起側仮係止面２８Ａとが係止した状態では、突起側仮係止面２８Ａ全体が仮係止面４７Ａに面接触するように設定されている。
【００３１】
本係止爪４８は、ロック片４６の前後方向略中央部よりも前側に形成されている。また、本係止爪４８は、仮係止爪４７の前端からロック片４６の前端まで直線的に延びた形態をなし、本係止爪４８の前後方向の長さ寸法は、仮係止爪４７の前後方向の長さ寸法とほぼ同じに設定されている。
また、本係止爪４８は、仮係止爪４７と同様に、ロック片４６の上端縁から幅方向内側に向かって突出して形成されており、本係止爪４８の突出端は、仮係止爪の突出端と面一状に形成されている。
【００３２】
また、本係止爪４８の下面は、本係止突起２７の突起側本係止面２７Ａと係止可能な本係止面４８Ａとされており、仮係止爪４７の仮係止面４７Ａと面一状に形成されている。また、本係止面４８Ａは、突起側本係止面２７Ａよりも前後方向に長く形成されており、本係止面４８Ａと突起側本係止面２７Ａとが係止した状態において、突起側本係止面２７Ａ全体が本係止面４８Ａに面接触するように設定されている。
【００３３】
本係止爪４８は、リテーナ４０が仮係止位置と本係止位置とを相互に移動する際に、本係止突起２７に乗り上げる。すると、本係止爪４８が形成されたロック片４６の前側半分が幅方向外側に弾性変形し、本係止爪４８が本係止突起２７を乗り越えることでロック片４６が弾性復帰する。すなわち、ロック片４６は、斜め前上方に拡開するようにして幅方向外側に弾性変形し、仮係止爪４７が形成されたロック片４６の後側半分は、ほとんど弾性変形せず、仮係止爪４７が幅方向外側に向かって変位する量は、本係止爪４８が幅方向外側に向かって変位する量よりも小さくなるようになっている。
【００３４】
そして、抜け止め部４１が仮係止位置に配されて、仮係止面４７Ａが突起側仮係止面２８Ａによって下方から係止されることで、リテーナ４０が仮係止位置に保持され、抜け止め部４１が本係止位置に配されて、本係止面４８Ａが突起側本係止面２７Ａによって下方から係止されることで、リテーナ４０が本係止位置に保持されるようになっている。
【００３５】
また、ロック片４６から仮係止爪４７が幅方向内側に突出する量は、図４及び図７に示すように、ロック片４６から本係止爪４８が突出する量よりも大きく形成されており、仮係止位置において仮係止突起２８の突起側仮係止面２８Ａと仮係止爪４７の仮係止面４７Ａとが係止した状態における係り代の幅方向の長さ寸法は、本係止位置において本係止突起２７の突起側本係止面２７Ａと本係止爪４８の本係止面４８Ａとが係止した状態における係り代の幅方向の長さ寸法よりも大きくなるように設定されている。これにより、突起側仮係止面２８Ａと仮係止面４７Ａとが係止する面積を、突起側本係止面２７Ａと本係止面４８Ａとが係止する面積よりも大きくすることができ、仮係止位置におけるリテーナ４０の保持力を本係止位置におけるリテーナ４０の保持力よりも向上させることができるようになっている。
【００３６】
また、ロック片４６における本係止爪４８よりも基端部側の部分は、ロック片４６における仮係止爪４７よりも基端部側の部分に比べて、厚肉に形成されており、本係止爪４８の前端部は、ロック片４６の前端縁から幅方向内側に突出して形成された補強壁４９と一体に形成されている。つまり、本係止爪４８と仮係止爪４７との間を境にロック片４６における前側の部分の剛性が後側の部分の剛性よりも高くなっており、本係止位置においてロック片４６が幅方向外側に弾性変形し難くすることができる。これにより、本係止爪４８と本係止突起２７との係り代が、仮係止爪４７と仮係止突起２８との係り代よりも浅くなる本係止位置において、リテーナ４０の保持力を向上させることができる。
【００３７】
本実施形態は、以上のような構成であって、次に、コネクタ１０の組み付け方法について簡単に説明すると共に、その作用効果を説明する。
まず、コネクタハウジング２０の下方から、リテーナ４０をリテーナ装着孔２３に嵌合させ、コネクタハウジング２０に対してリテーナ４０を上方に移動させる。この過程において、ロック片４６の仮係止爪４７が仮係止突起２８に乗り上げ、ロック片４６の後側部分が同ロック片４６の基端部を支点に幅方向外側に弾性変形することで、ロック片４６は、斜め後上方に拡開するようにして幅方向外側に弾性変形する。
【００３８】
そして、仮係止突起２８に乗り上げた仮係止爪４７が仮係止突起２８を乗り越えると、図４に示すように、仮係止爪４７の仮係止面４７Ａが仮係止突起２８の突起側仮係止面２８Ａによって下方から係止され、リテーナ４０が仮係止位置に保持される。また、この状態において、抜け止め部４１の端子係止部４４は、キャビティ２１内から退避しており、キャビティ２１に対して雌型端子の挿抜が可能となる。そして、雌型端子を後方からキャビティ２１内に挿入し、雌型端子を正規の位置まで挿入することで、雌型端子がランス２２によってキャビティ２１内に抜け止めされる。
【００３９】
次に、リテーナ４０をコネクタハウジング２０に対して、更に上方へと移動させる。この過程において、ロック片４６の本係止爪４８が本係止突起２７に乗り上げ、ロック片４６の前側部分が同ロック片４６の基端部を支点に幅方向外側に弾性変形し、ロック片４６は、斜め前上方に拡開するようにして幅方向外側に弾性変形する。このとき、ロック片４６の先端部は、コネクタハウジング２０の貫通孔２６の内部空間に進入し、ロック片４６が幅方向外側に弾性変形することを許容される。
【００４０】
そして、ロック片４６の本係止爪４８が本係止突起２７を乗り越えると、ロック片４６が弾性復帰することで、図７に示すように、本係止爪４８の本係止面４８Ａが本係止突起２７の突起側本係止面２７Ａによって下方から係止され、抜け止め部４１が本係止位置に保持される。また、この状態において、抜け止め部４１の端子係止部４４は、キャビティ２１内に突出して、雌型端子を後方から係止して、雌型端子をキャビティ２１内に抜け止めする。これにより、雌型端子は、ランス２２と端子係止部４４とによって二重に係止され、コネクタ１０が完成する。
【００４１】
次に、メンテナンス等で、リテーナ４０を本係止位置から仮係止位置へ移動させる場合について説明する。
リテーナ４０を本係止位置から仮係止位置へ移動させる場合には、治具などをリテーナ装着孔２３とリテーナ４０との間に挿し込んでリテーナ装着孔２３からリテーナ４０を下方に引き出すように移動させる。このとき、ロック片４６は、仮係止位置から本係止位置へ移動させた時と逆の状態となる。つまり、ロック片４６の本係止爪４８が本係止突起２７に乗り上げることで、ロック片４６の前側部分が幅方向外側に弾性変形し、ロック片４６が斜め前上方に拡開するようにして幅方向外側に弾性変形する。そして、ロック片４６の本係止爪４８が本係止突起２７を乗り越えると、仮係止爪４７の仮係止面４７Ａが仮係止突起２８の突起側仮係止面２８Ａによって下方から係止され、図４に示すように、抜け止め部４１が仮係止位置に保持される。すなわち、本係止爪４８が本係止突起２７に乗り上げることで、ロック片４６は、斜め前上方に拡開するようにして幅方向外側に弾性変形するところ、仮係止爪４７及び仮係止突起２８は、ロック片４６の後側に形成されているので、ロック片４６の後側の撓み量は少なく、仮係止爪４７と仮係止突起２８とは互いに常に係止した状態となっている。これにより、リテーナ４０は、コネクタハウジング２０に対して常に保持された状態となる。
【００４２】
ところで、治具などをリテーナ装着孔２３とリテーナ４０との間に挿し込んでリテーナ装着孔２３からリテーナ４０を下方に移動させる際に、大きな力が加わってしまい、本係止突起２７を乗り越えるために弾性変形したロック片４６が、弾性復帰する前に、仮係止位置まで移動してしまう場合がある。ところが、本実施形態によると、仮係止爪４７および仮係止突起２８が、本係止爪４８および本係止突起２７の後方にずれて形成されていることから、ロック片４６の前側部分が幅方向外側に弾性変形した状態においても、ロック片４６における後側部分は、仮係止爪４７と仮係止突起２８とが解除されるほど弾性変形した状態にならず、本係止爪４８と本係止突起２７とが解除された勢いで仮係止突起２８から仮係止爪４７が解除されることを抑制することができる。これにより、リテーナ４０に対して抜け方向である下方向に大きな力が加えられた場合においても、リテーナ４０が勢い余ってコネクタハウジング２０から外れてしまうことを抑制することができる。
【００４３】
以上のように、本実施形態によると、リテーナ４０を本係止位置から仮係止位置へ移動させる際に、ロック片４６が弾性変形する位置は、本係止爪４８が形成された前側となり、仮係止爪４７が形成された後側におけるロック片４６の撓み量は小さくなる。これにより、仮係止爪４７が形成された後側のロック片４６は、仮係止爪４７と仮係止突起２８とが解除されるほど弾性変形した状態にならず、ロック片４６が本係止突起２７から解除された勢いで仮係止突起２８からも解除されることを抑制することができる。
【００４４】
また、本実施形態によると、仮係止突起２８と仮係止爪４７との係り代は、本係止突起２７と本係止爪４８との係り代よりも突出方向に大きく形成されていることから、仮係止突起２８と仮係止爪４７との係止を解除するためには、本係止突起２７と本係止爪４８との係止を解除するときよりもロック片４６を幅方向外側にさらに弾性変形させる必要がある。これにより、リテーナ４０が勢い余ってコネクタハウジング２０から外れてしまうことをさらに抑制することができる。
【００４５】
さらに、本実施形態によると、ロック片４６の上端縁に仮係止爪４７と本係止爪４８とが連続して一体に形成されていることから、仮係止爪と本係止爪とが前後方向に分かれて形成されている場合に比べて、ロック片４６全体の強度を高くすることができると共に、リテーナの前後方向の長さ寸法を小さくすることができる。
【００４６】
＜実施形態２＞
次に、本発明の実施形態２について図１２乃至図１９を参照して説明する。
実施形態２のコネクタ１１０は、実施形態１におけるコネクタハウジング２０のロック部収容部２５と、リテーナ４０のロック部４２とを変更したものであって、上記実施形態と共通する構成、作用、および効果については重複するため、その説明を省略する。また、上記実施形態と同じ構成については同一の符号を用いるものとする。
【００４７】
実施形態２のコネクタハウジング１２０のロック部収容部１２５は、抜け止め部収容部２４の両端部から後方だけでなく、前方にも延びた形態となっており、前側のロック部収容部１２５は、後側のロック部収容部１２５よりも短く設定されている。
また、ロック部収容部１２５の本係止突起１２７及び仮係止突起１２８は、図１２に示すように、ロック部収容部１２５の前側と後側とに分割して形成されている。また、本係止突起１２７及び仮係止突起１２８は、図１３及び図１４に示すように、コネクタハウジング１２０の左側と右側とで本係止突起１２７と仮係止突起１２８とが前後逆に配置されている。詳しくは、図１３に示すように、ロック部収容部１２５の前側には、図示左側の位置に仮係止突起１２８が形成され、図示右側の位置に本係止突起１２７が形成されている。また、図１４に示すように、ロック部収容部１２５の後側には、図示左側の位置に本係止突起１２７が形成され、図示右側の位置に仮係止突起１２８が形成されている。
【００４８】
一方、リテーナ１４０のロック部１４２は、図１８及び図１９に示すように、抜け止め部４１の両端部から後方だけでなく、前方にも延びた形態となっており、前側のロック部１４２は後側のロック部１４２よりも短く設定されている。また、各ロック部１４２のロック片１４６には、仮係止爪１４７または本係止爪１４８が個別に形成されている。詳しくは、前側に位置するロック片１４６の図示上側に位置する左側には仮係止爪１４７が形成されており、前側に位置するロック片１４６の図示下側に位置する右側には本係止爪１４８が形成されている。また、後側に位置するロック片１４６の図示上側に位置する左側には本係止爪１４８が形成されており、後側に位置するロック片１４６の図示下側に位置する右側には仮係止爪１４７が形成されている。つまり、コネクタハウジング１２０の本係止突起１２７及び仮係止突起１２８と対応するように、リテーナ１４０の左側と右側とで本係止爪１４８と仮係止爪１４７とが前後逆に配置されている。
【００４９】
そして、コネクタハウジング１２０に対してリテーナ１４０が仮係止位置と本係止位置との間を移動する際には、右側前及び左側後に位置するロック片１４６の本係止爪１４８が本係止突起１２７に乗り上げ、右側前及び左側後のロック片４６が基端部を支点に幅方向外側に弾性変形する。そして、仮係止位置に至ると、図１３及び図１４に示すように、左側前及び右側後の仮係止爪１４７が仮係止突起１２８によって下方から係止され、リテーナ１４０が仮係止位置に保持される。また、本係止位置に至ると、図１６及び図１７に示すように、右側前及び左側後の本係止爪１４８が本係止突起１２７によって下方から係止され、リテーナ１４０が仮係止位置に保持される。
【００５０】
すなわち、本実施形態によると、本係止爪１４８及び仮係止爪１４７は、全てが独立して形成されていることから、リテーナ１４０が仮係止位置と本係止位置との間を移動する際には、左側前及び右側後に位置するロック片１４６は、弾性変形することなく、右側前及び左側後に位置するロック片１４６のみを独立して弾性変形させることができる。これにより、リテーナ１４０が本係止位置から仮係止位置へ移動させる際に、仮係止爪１４７が形成されたロック片１４６は弾性変形せず、リテーナ１４０が本係止突起１２７から解除された勢いで仮係止突起１２８からも解除されることを抑制することができる。
【００５１】
＜他の実施形態＞
本発明は上記記述及び図面によって説明した実施形態に限定されるものではなく、例えば次のような実施形態も本発明の技術的範囲に含まれる。
（１）上記実施形態１では、仮係止突起２８および仮係止爪４７を本係止突起２７および本係止爪４８の後側に形成した構成としたが、本発明はこのような態様に限定されるものではなく、例えば、仮係止突起２８および仮係止爪４７を本係止突起２７および本係止爪４８の前側に形成してもよい。
（２）上記実施形態では、ロック部収容部２５のキャビティ２１側の内壁に仮係止突起２８および本係止突起２７を形成し、ロック片４６を幅方向外側に弾性変形可能に構成したが、本発明はこのような態様に限定されるものではなく、例えば、ロック部収容部の外側に位置する内壁に仮係止突起および本係止突起を形成し、ロック片を幅方向内側に弾性変形可能に形成してもよい。
（３）上記実施形態２では、仮係止突起２８および本係止突起２７と、仮係止爪４７および本係止爪４８との位置をコネクタハウジング１２０およびリテーナ１４０の左側と右側とで前後逆の配置となるように構成したが、本発明はこのような態様に限定されるものではなく、例えば、仮係止突起および本係止突起と、仮係止爪および本係止爪との位置をコネクタハウジングおよびリテーナの左側と右側とで同じに配置してもよい。
【符号の説明】
【００５２】
１０，１１０：コネクタ
２０，１２０：コネクタハウジング
４６，１４６：ロック片
２３：リテーナ装着孔
４０，１４０：リテーナ
２７，１２７：本係止突起
４８，１４８：本係止爪
２８，１２８：仮係止突起
４７，１４７：仮係止爪
【図１】
0005668670.tif 000002
【図２】
0005668670.tif 000003
【図３】
0005668670.tif 000004
【図４】
0005668670.tif 000005
【図５】
0005668670.tif 000006
【図６】
0005668670.tif 000007
【図７】
0005668670.tif 000008
【図８】
0005668670.tif 000009
【図９】
0005668670.tif 000010
【図１０】
0005668670.tif 000011
【図１１】
0005668670.tif 000012
【図１２】
0005668670.tif 000013
【図１３】
0005668670.tif 000014
【図１４】
0005668670.tif 000015
【図１５】
0005668670.tif 000016
【図１６】
0005668670.tif 000017
【図１７】
0005668670.tif 000018
【図１８】
0005668670.tif 000019
【図１９】
0005668670.tif 000020